(57)【要約】【課題】ＬＥＤを１次元方向に複数個配したＬＥＤアレイ照明系を有する画像読み取り装置において、ＬＥＤが故障した場合の装置のダウンタイムを軽減する制御を行う。【解決手段】複数のＬＥＤを１次元方向に配列したＬＥＤアレイ光源と、原稿または基準白色板の反射光を受光して画像を読み取るリニアイメージセンサと、前記ＬＥＤの異常を検出するための異常検出手段と、装置の状態を表示するため、そして、装置の操作を受け付けるための表示操作手段と、前記異常検出手段によってＬＥＤの異常を検出した場合に、異常ＬＥＤの位置が原稿の範囲外であれば原稿読み取り動作を行って原稿を読み取り、異常ＬＥＤの位置が原稿の範囲内であれば前記表示選択手段にＬＥＤの異常を表示し、操作者に対して原稿読み取りの開始または停止の選択を受け付けるように制御する制御手段を有する。【選択図】　　　図４
2004064406.tif 000002
【特許請求の範囲】
【請求項１】
複数の発光素子を配列したアレイ型光源と、
前記アレイ型光源により光を照射された原稿に記録された画像を読み取るイメージセンサと、
前記発光素子の異常を検出する異常検出手段と、
前記異常検出手段により異常を検出された異常発光素子が原稿読取範囲内を照射するものであるか否かを判別する判別手段と、
前記判別手段により前記異常発光素子が前記原稿読取範囲内を照射するものであると判別された場合に、前記イメージセンサに前記原稿に記録された画像の読み取り動作を行わせる前に所定の処理を行うように制御し、前記判別手段により前記異常発光素子が前記原稿読取範囲外を照射するものであると判別された場合には、前記所定の処理を行うことなく前記イメージセンサに前記原稿に記録された画像の読み取り動作を行わせるように制御する制御手段と、
を有することを特徴とする画像読取装置。
【請求項２】
前記異常検出手段により前記発光素子の異常を検出された場合に警告する警告手段を有することを特徴とする請求項１に記載の画像読取装置。
【請求項３】
前記警告手段は、前記異常検出手段により異常を検出された前記発光素子の数が所定数以上である場合に警告することを特徴とする請求項２の画像読取装置。
【請求項４】
前記制御手段は、前記判別手段により前記異常発光素子が前記原稿読取範囲内を照射すると判別され、前記異常発光素子の数が所定数以上である場合に、前記イメージセンサに前記原稿に記録された画像の読み取り動作を行わせる前に前記所定の処理を行わせるように制御することを特徴とする請求項１乃至３のいずれかの画像読取装置。
【請求項５】
さらに、前記判別手段により前記異常発光素子が前記原稿読取範囲内を照射すると判別された場合に、前記異常発光素子の位置を表示する表示手段を有することを特徴とする請求項１の画像読取装置。
【請求項６】
さらに、操作者からの操作を受け付けるための操作手段を有し、前記所定の処理は、前記操作手段により原稿読み取りの開始または停止の選択操作を受け付ける処理であることを特徴とする請求項１乃至５のいずれかの画像読取装置。
【請求項７】
前記異常検出手段は、基準白色板を前記イメージセンサで読み取った画像データに基いて前記発光素子の異常及び前記異常発光素子の位置を検出することを特徴とする請求項１乃至６のいずれかの画像読取装置。
【請求項８】
さらに、前記複数の発光素子の各々の電圧信号を検出する電圧検出手段を有し、前記異常検出手段は、前記電圧信号に基いて前記発光素子の異常及び前記異常発光素子の位置を検出することを特徴とする請求項１乃至６のいずれかの画像読取装置。
【請求項９】
さらに、前記複数の発光素子の各々に流れる電流値を検出する電流検出手段を有し、前記異常検出手段は、前記電流値に基いて前記発光素子の異常及び前記異常発光素子の位置を検出することを特徴とする請求項１乃至６のいずれかの画像読取装置。
【請求項１０】
複数の発光素子を配列したアレイ型光源と、
前記アレイ型光源により光を照射された原稿上に記録された画像を読み取るリニアイメージセンサと、を有する画像読取装置を制御するための制御プログラムであって、
前記発光素子の異常を検出する異常検出ステップと、
前記異常検出ステップにおいて異常を検出された異常発光素子が原稿読取範囲内を照射するものであるか否かを判別する判別ステップと、
前記判別ステップにおいて前記異常発光素子が前記原稿読取範囲内を照射するものであると判別された場合に、前記イメージセンサに前記原稿に記録された画像の読み取り動作を行わせる前に所定の処理を行うように制御し、前記判別ステップにおいて前記異常発光素子が前記原稿読取範囲外を照射するものであると判別された場合には、前記所定の処理を行うことなく前記イメージセンサに前記原稿に記録された画像の読み取り動作を行わせるように制御する制御ステップと、を有することを特徴とする制御プログラム。
【請求項１１】
前記異常検出ステップにおいて前記発光素子の異常を検出された場合に警告する警告ステップを有することを特徴とする請求項１０に記載の制御プログラム。
【請求項１２】
前記警告ステップでは、前記異常検出ステップにおいて異常を検出された前記発光素子の数が所定数以上である場合に警告することを特徴とする請求項１０の制御プログラム。
【請求項１３】
前記制御ステップでは、前記判別ステップにおいて前記異常発光素子が前記原稿読取範囲内を照射すると判別され、前記異常発光素子の数が所定数以上である場合に、前記イメージセンサに前記原稿に記録された画像の読み取り動作を行わせる前に前記所定の処理を行わせるように制御することを特徴とする請求項１０乃至１２の制御プログラム。
【請求項１４】
さらに、前記判別ステップにおいて前記異常発光素子が前記原稿読取範囲内を照射すると判別された場合に、前記異常発光素子の位置を表示する表示ステップを有することを特徴とする請求項１０の制御プログラム。
【請求項１５】
さらに、前記画像読取装置は、操作者からの操作を受け付けるための操作手段を有し、前記所定の処理は、前記操作手段により原稿読み取りの開始または停止の選択操作を受け付ける処理であることを特徴とする請求項１０または１４の制御プログラム。
【請求項１６】
前記異常検出ステップは、基準白色板を前記イメージセンサで読み取った画像データに基いて前記発光素子の異常及び前記異常発光素子の位置を検出することを特徴とする請求項１０乃至１５のいずれかの制御プログラム。
【請求項１７】
さらに、前記複数の発光素子の各々の電圧信号を検出する電圧検出ステップを有し、前記異常検出ステップでは、前記電圧信号に基いて前記発光素子の異常及び前記異常発光素子の位置を検出することを特徴とする請求項１０乃至１５のいずれかの制御プログラム。
【請求項１８】
さらに、前記複数の発光素子の各々に流れる電流値を検出する電流検出ステップを有し、前記異常検出手段は、前記電流値に基いて前記発光素子の異常及び前記異常発光素子の位置を検出することを特徴とする請求項１０乃至１５のいずれかの制御プログラム。
【発明の詳細な説明】
【０００１】
【発明の属する技術分野】
本発明は複数の発光素子を配列したアレイ型光源照明系を有する画像読取装置に関する。
【０００２】
【従来の技術】
従来、画像読取装置の光源として、ハロゲンランプや蛍光灯、キセノン管といった光源が用いられている。しかし、上記各光源は、光源の発熱が大きい、消費電力が大きい、ランプ外形が大きく重い、高圧給電が必要である、光量安定迄の時間が掛かる等の様々な問題点を含んでいた。また、近年、原稿のラインイメージを読み取るラインイメージセンサの感度が向上し、少ない光量で画像信号が取り出せるようになってきている。この状況に対応し、ＬＥＤは、光量は少ないが、発熱が小さく、消費電力が小さいため、照明系としてＬＥＤを複数個配したＬＥＤアレイ光源が提案されてきている。このように、ＬＥＤは、上記のような問題点を解決しうる光源として考えられている。
【０００３】
ＬＥＤを用いた光源としては次のようなものがある。その構成を図１２に示す。回路導体を施した基板１２０２上にチップ型ＬＥＤ１２０１を一列に実装し、ＬＥＤの発光方向に導光体１２０３を設け、ＬＥＤからの光を長手方向に均一にして原稿に照明させる。
【０００４】
また、他の構成として次のようなものもある。その構成を図１３に示す。回路導体を施した基板１３０２上にキャップ型ＬＥＤ１３０１を一列に実装し、ＬＥＤからの光を長手方向に均一にして原稿に照明させる。
【０００５】
一方、画像読み取り装置は、ＣＣＤとレンズの組み合わせによる縮小光学系を用いたイメージスキャナに加えて、ＬＥＤやキセノンランプ等を光源とし、セルフォックレンズ等の等倍結像光学系と撮像素子としてＣＣＤあるいはＣＭＯＳラインセンサとを用いた所謂コンタクトイメージセンサ（以下ＣＩＳと表記する）を使用するケースが増えてきている。ＣＩＳは、センサとレンズアレイ、そして光源が一体化した密着型撮像系で、光路が必要ないため、非常にコンパクトであることが大きな特徴となっている。そのため、ＣＩＳを用いた画像読取装置は、ミラーや複雑な駆動系を必要としない簡易な構成で、ＣＩＳそのものを読み取り方向にスキャンさせる駆動系だけ構成すればよく、縮小光学系の画像読取装置よりも簡単な工程で読取装置を構成することが可能である。ＣＩＳの構造展開図を図２に示す。図２はＣＩＳを上方向から見た図、および、横方向から見た図、および、断面図である。光源としてはキャップ型ＬＥＤアレイ光源を用いた構成である。ＣＩＳモジュール１０２は、カバーガラス２０１、複数のキャップ型ＬＥＤ２０８を基板２０９上に一列に配置して構成するＬＥＤアレイ光源２０２、セルフォックレンズ等からなる等倍結像レンズ２０３、ラインセンサ２０４、前記ラインセンサ２０４が実装された基板２０５、それらがモールド２０６に取り付けられることによって一体のＣＩＳモジュール１０２を形成している。
【０００６】
ＣＩＳモジュール１０２は、ＬＥＤアレイ光源２０２で照明された原稿のラインイメージを、セルフォックレンズアレイ２０３を介してイメージセンサ２０４上に結像する。イメージセンサ２０４で読み取られたアナログ画像信号は、従来の縮小光学系を具備した画像読取装置と同様に画像処理され、プリンタやホストコンピュータ等で画像再生される。
【０００７】
縮小光学系ＣＣＤの開口部サイズが４．７ｕｍ〜７ｕｍ四方であるのに対して、ＣＩＳモジュール１０２内のイメージセンサ２０４の各画素の開口部はサイズ、等倍光学系であるため６００ｄｐｉの読み取り装置の場合であっても、４２ｕｍ四方となっている。このため、ＣＣＤよりも光感度を高く設計できるので、縮小光学系で用いられる照明系ほどの光量を必要なく少ない光量で読み取ることができるため、光源としてＬＥＤを用いる提案が数多くなされている。
【０００８】
上記のようなＬＥＤアレイ光源を用いたイメージスキャナにおいて、ＬＥＤアレイ光源の一部分のＬＥＤが劣化や故障をした場合、黒いスジあるいは白いスジ等の不良画像が出力されてしまうといった問題がある。
【０００９】
そこで、ＬＥＤの劣化や故障を検出する手法が提案されている。例えば、ＬＥＤの劣化や故障による光量不足を検出した場合に、調整手段によってＬＥＤの発光量を調整したり、他のＬＥＤによって光量不足を補う制御を行ったり、エラーとして読取動作を停止するという制御が提案されている。
【００１０】
【発明が解決しようとする課題】
しかしながら、上記のような画像読取装置においては、ＬＥＤの発光量の調整の範囲を超えた場合や、故障が検出された場合には、読取動作が中断、あるいは停止してしまうため、画像読取装置のダウンタイムが増加し、ユーザにとっては大変不便なものとなる。
【００１１】
また、原稿のサイズと故障したＬＥＤの位置関係によっては、故障した影響無く読取動作が可能な場合があるにもかかわらず、読取動作が中断、あるいは停止してしまうため効率が悪い。
【００１２】
【課題を解決するための手段】
本発明は、上記課題を解決するためになされたものであり、請求項１に記載の画像読取装置は、複数の発光素子を配列したアレイ型光源と、前記アレイ型光源により光を照射された原稿に記録された画像を読み取るイメージセンサと、前記発光素子の異常を検出する異常検出手段と、前記異常検出手段により異常を検出された異常発光素子が原稿読取範囲内を照射するものであるか否かを判別する判別手段と、前記判別手段により前記異常発光素子が前記原稿読取範囲内を照射するものであると判別された場合に、前記イメージセンサに前記原稿に記録された画像の読み取り動作を行わせる前に所定の処理を行うように制御し、前記判別手段により前記異常発光素子が前記原稿読取範囲外を照射するものであると判別された場合には、前記所定の処理を行うことなく前記イメージセンサに前記原稿に記録された画像の読み取り動作を行わせるように制御する制御手段と、を有することを特徴とする。
【００１３】
また、請求項１０に記載の制御プログラムは、複数の発光素子を配列したアレイ型光源と、前記アレイ型光源により光を照射された原稿上に記録された画像を読み取るリニアイメージセンサと、を有する画像読取装置を制御するための制御プログラムであって、前記発光素子の異常を検出する異常検出ステップと、前記異常検出ステップにおいて前記発光素子の異常を検出された場合に警告する警告ステップと、前記異常検出ステップにおいて異常を検出された異常発光素子が原稿読取範囲内を照射するものであるか否かを判別する判別ステップと、前記判別ステップにおいて前記異常発光素子が前記原稿読取範囲内を照射するものであると判別された場合に、前記イメージセンサに前記原稿に記録された画像の読み取り動作を行わせる前に所定の処理を行うように制御し、前記判別ステップにおいて前記異常発光素子が前記原稿読取範囲外を照射するものであると判別された場合には、前記所定の処理を行うことなく前記イメージセンサに前記原稿に記録された画像の読み取り動作を行わせるように制御する制御ステップと、を有することを特徴とする。
【００１４】
【発明の実施の形態】
以下、本発明の一実施形態を説明する。
【００１５】
（実施例１）
以下、添付図面を参照して、本発明に係る第１の実施の形態を詳細に説明する。
【００１６】
図１は、本発明の実施の形態に係る画像形成装置の構成を示す断面図である。
【００１７】
図１において、１０１はイメージスキャナ部であり、ここでは、原稿上に記録された画像を読み取り、デジタル信号処理を行う。１０２はイメージスキャナ部１０１に内蔵されるＣＩＳモジュール、１０５は原稿台ガラス（プラテン）、１０６は流し読みガラス、１０７は基準白色板、１０３は自動原稿送り装置（以下ＡＤＦと記載する）である。
【００１８】
次に、装置全体の動作を説明する。先ず、原稿台ガラス１０５上の原稿を読み取るための原稿台スキャン動作について説明する。
【００１９】
図１のイメージスキャナ部１０１において、先ずＣＩＳモジュール１０２を基準白色板１０７の下に移動して読み取り、読み取った画像信号によってシェーディング補正を行う。そして、原稿台ガラス１０５上に載置された原稿を、ＣＩＳモジュール１０２に内蔵されるＬＥＤアレイ光源２０２の光で照射しながら、読取センサ列の電気的な走査方向（主走査方向）に対して垂直な方向（副走査方向）に速度Ｖで機械的に移動することにより、原稿の全面を走査する。原稿からの反射光は、レンズ２０３によりラインセンサ２０４上に結像される。
【００２０】
ラインセンサ２０４は、原稿からの光情報を例えばレッド（Ｒ），グリーン（Ｇ），ブルー（Ｂ）の各色成分に分解してフルカラーで読み取り、ＲＧＢの色信号を画像信号処理部に出力する。ラインセンサ２０４の各色成分の読取センサ列は、各々が７５００画素から構成されており、原稿台ガラス１０５上に載置される原稿の中で最大サイズであるＡ３サイズの原稿の短手方向２９７ｍｍを６００ｄｐｉの解像度で読み取ることができる。
【００２１】
次にＣＩＳモジュール１０２から出力される画像信号を処理する画像信号処理部について図３を用いて説明する。図３は画像信号処理部のブロック図である。
【００２２】
ＣＩＳモジュール１０２内のラインセンサ２０４から出力されるアナログ信号は、ＡＭＰ３０３において増幅され、Ａ／Ｄ変換器３０４においてデジタル信号に変換される。そして、並べ替え回路３０５において１ラインの信号に並べ替え、シェーディング補正回路３０６においてシェーディング補正が行われる。その後、Ｉ／Ｆ回路３０７を介して、プリンタによって出力される、あるいはホストコンピュータ等によって画像再生される。また、３０８はシェーディングデータ等の演算やイメージスキャナ部１０１を制御するためのＣＰＵ、３０９はＬＥＤアレイ光源２０２を点灯するための電源回路である。３１０は画像読み取り装置の操作部であり、画像読み取り装置の状態表示を行う、あるいは、ユーザによる読み取り命令を受け付ける。
【００２３】
次に、ＡＤＦ１０３によって原稿１０４を搬送しながら、流し読みガラス１０６上において原稿上に記録された画像を読み取るための流し読みスキャン動作について説明する。
【００２４】
先ずＣＩＳモジュール１０２を基準白色板１０７の下に移動し、読み取った画像信号処理部によってシェーディング補正を行う。次にＣＩＳモジュール１０２を図１のように流し読み位置に移動し、流し読みガラス１０６の所定の位置をＬＥＤアレイ光源２０２の光で照射し、ＡＤＦ１０３によって搬送される原稿１０４上に記録された画像を読み取っていく。ＣＩＳモジュール１０２によって読み取られた画像信号については、原稿台スキャン動作の場合と同様である。
【００２５】
図５〜図７は、イメージスキャナの主走査方向の断面図を示す図である。２１０は、ＬＥＤアレイ光源２０２の中のあるＬＥＤであり、劣化または故障などの異常な状態のＬＥＤを示す。例えば、ＬＥＤ２１０の位置は、主走査方向においてＡ４Ｒ原稿を照射するには影響はなく、Ａ４原稿を照射するには影響がある位置としている。
【００２６】
図５は、シェーディング補正時の説明図である。画像読み取り時のシェーディング補正時にＬＥＤの異常検出および異常位置検出を行う。シェーディング補正時において、基準白色板１０７の画像をサンプルするが、ＬＥＤ２１０が異常である場合には、図のようなサンプルデータの分布となる。ＬＥＤ２１０の異常により光量が不足するためその部分の輝度データが落ち込む。そして、そのサンプルデータを所定の閾値Ａで比較し、サンプルデータが閾値よりも小さい場合に、ＬＥＤが異常（劣化または故障）であると判断する。ここで、所定の閾値Ａは、出力画像に黒スジあるいは、白スジとして出力されることがないぐらいに十分な輝度を保証する値である。そしてその輝度データの落ち込み部分に対し、ＬＥＤが異常であると見なし、その位置を検出し、図示しない画像信号処理部内のメモリに記憶しておく。
【００２７】
図６は、主走査方向Ａ４幅の原稿を読み取る時の説明図である。シェーディング補正時のＬＥＤの異常検出および異常位置検出に従い、異常ＬＥＤが画像読み取りに影響するか否かを判別し、異常ＬＥＤ２１０の位置が原稿幅の範囲内にあって読み取り画像に影響する場合は操作部にアラーム表示を行う。
【００２８】
図６において、原稿１０４はＡ４原稿であり、画像読み取りの際に、読み取り画像の部分に黒いスジまたは白いスジ等の不良画像が発生する可能性がある。よって、異常ＬＥＤ２１０の位置がＡ４幅の読み取り範囲内にある場合は、図８（ｂ）のように、操作部上にアラーム表示を行い、画像読み取り動作を中断し、ユーザに、画像読み取り動作を続けるか否かを選択させる。ユーザが不良画像の発生を承知し、画像読み取り動作の継続を選択した場合は画像読み取り動作が続けられる場合は、通常と同様に画像読み取り動作を行う。一方、ユーザが読み取り動作の中止を選択し、画像読み取りが続けられない場合は、画像読み取り動作を行わずに終了する。また、ＬＥＤの異常が検出された場合には、画像読み取りが終了した後も、図８（ａ）のように操作部上のアラーム表示をＬＥＤアレイ光源が交換されるまで行う。次に、図７は、主走査方向Ａ４Ｒ幅の原稿を読み取る時の説明図である。
【００２９】
図７において、原稿１０４はＡ４Ｒ原稿で、異常ＬＥＤ２１０の位置は読み取り原稿幅の範囲外であって読み取り画像に影響がない場合は、
図８（ａ）のように操作部上にアラーム表示を行うが、ユーザに読み取り動作を続けるか否かの選択を求めることはないので、読み取り動作を中断することなく通常と同様に画像読み取りを行う。図８（ａ）の操作部上のアラーム表示をＬＥＤアレイ光源が交換されるまで行う。
【００３０】
以下、図４のフローチャートは、ＬＥＤ異常検出と読み取り動作の制御シーケンスを示したプログラムであって、図示しないメモリに格納されている。プログラムは、ＣＰＵ３０８において実行される。
【００３１】
ユーザによりスタートボタンが押下されると、予め白色板の下に位置するＣＩＳモジュールにおいて、ランプが消えた状態で黒サンプルが行われ、黒オフセット補正データの演算およびセットが行われる（ステップ（以下Ｓ）４０１）。次に、白色板の下でランプを点灯させ（Ｓ４０２）、基準白色板の画像をサンプリングする（Ｓ４０３）。次に、基準白色板のサンプルデータからシェーディングデータをＣＰＵ３０８において演算し、シェーディングメモリにセットする（Ｓ４０４）。そして、白色板のサンプルデータを所定の閾値Ａと比較を行う（Ｓ４０５）。全てのサンプルデータが閾値Ａよりも大きい場合（Ｎ）には、ＬＥＤの異常は無いと判断し（Ｓ４０６）、Ｓ４１２に移行して通常の原稿読み取り動作を行って終了する。サンプルデータが閾値Ａよりも小さいものがある場合（Ｙ）には、ＬＥＤの異常と判断し（Ｓ４０６）、サンプルデータが閾値Ａよりも小さい場所の位置および幅（例えば、２５ｃｍ〜２６ｃｍ等の範囲）を検出して記憶する（Ｓ４０７）。このように基準白色板のサンプルデータからシェーディングデータをＣＰＵ３０８によって演算することによって異常ＬＥＤの検出を行う。
【００３２】
次に、予め検知された原稿サイズ、または、予めユーザに指定された原稿サイズと異常ＬＥＤの位置をＣＰＵ３０８において比較し（Ｓ４０８）、原稿サイズが異常ＬＥＤの位置よりも小さければ（Ｎ）、異常ＬＥＤの影響無しと判断し（Ｓ４０９）、操作部に図８（ａ）のように表示を行い（Ｓ４１３）、Ｓ４１２に移行して通常の原稿読み取り動作を行って終了する。原稿サイズが異常ＬＥＤの位置以上であれば（Ｙ）、異常ＬＥＤの影響有りと判断し（Ｓ４０９）、図８（ｂ）のように表示部でＬＥＤの異常と異常ＬＥＤによる黒スジまたは白スジの位置を知らせるアラーム表示を行う（Ｓ４１０）。この時、位置とともに黒スジまたは白スジの幅を、例えば、２５ｃｍ〜２６ｃｍ付近等の範囲で知らせる表示をしてもよい。その後、ユーザによって原稿読み取りの継続または中止が選択されたか否かを検出し（Ｓ４１１）、“はい”ボタンが押下され（Ｓ４１４）、継続が選択された場合には（Ｙ）、原稿読み取り動作を行って（Ｓ４１２）終了する。“いいえ”ボタンが押下され（Ｓ４１４）、中止が選択された場合には（Ｎ）、原稿の読み取りを行わずに終了する。
【００３３】
（実施例２）
以下、添付図面を参照して、本発明に係る第２の実施の形態を詳細に説明する。
【００３４】
第１の実施例と重複する説明は省略する。第１の実施例では、白色板の画像をサンプルし、サンプル画像によってＬＥＤの異常を判断しているが、本実施例では、異常ＬＥＤを検出する手段として各ＬＥＤの電圧をモニタすることによってＬＥＤの異常を判断する構成を取る。各ＬＥＤからの各電圧信号は、セレクタによって各々選択され、制御手段であるＣＰＵ３０８に入力することによって各々のＬＥＤの異常を判断する。
【００３５】
図９は画像信号処理部のブロック図である。図３と異なるのは、セレクタ３１１が追加されている点である。ＬＥＤアレイ光源２０２の各ＬＥＤからの電圧信号がセレクタ３１１に入力され、ここで選択された電圧信号がＡ／Ｄ変換され、ＣＰＵ３０８に入力される。ＣＰＵ３０８からセレクタ３１１に対しては、電圧信号を選択するための制御信号が接続される。
【００３６】
図１０は本実施例におけるＬＥＤアレイ光源２０２の構成図である。ＬＥＤと抵抗間の電圧ＶＮを検知するために、各電圧信号ＶＮがセレクタ３１１に接続される。
【００３７】
ＣＰＵ３０８は、セレクタ３１１によってＡ／Ｄ変換されたＬＥＤの電圧信号を選択入力し、電圧に異常がないか否かを判定することで、ＬＥＤの故障を検知する。
【００３８】
図６、および、図７を用いてＬＥＤの異常検知、および、原稿読み取り制御の説明を行う。図６のように主走査方向Ａ４幅の原稿を読み取る時、ＬＥＤアレイ光源２０２を点灯させてから、ＣＰＵ３０８は各ＬＥＤの電圧信号をモニタすることによってＬＥＤの異常検出および異常位置検出を行う。その結果に従って、ＣＰＵ３０８で異常ＬＥＤが画像読み取りに影響するか否かを判別し、画像読み取りに影響する場合は操作部にアラーム表示を行う。図６において、原稿１０４はＡ４原稿であり、画像読み取りの際に、異常ＬＥＤ２１０によって、読み取り画像のその部分に黒いスジまたは白いスジが発生する可能性がある。よって、異常ＬＥＤ２１０の位置が読み取り原稿幅の範囲内にある場合は、図８（ｂ）のように、操作部上にアラーム表示を行い、画像読み取り動作を中断し、ユーザに、画像読み取りを続けるか否かを選択させる。ユーザが不良画像の発生を承知し、読み取り動作の継続を選択し、画像読み取りの継続を選択した場合は、場合は、通常と同様に画像読み取りを行う。一方、ユーザが読み取り動作の中止を選択し、画像読み取りが続けられない場合は、画像読み取り動作を行わずに終了する。また、ＬＥＤの異常が検出された場合には、画像読み取りが終了した後も、図８（ａ）のように操作部上のアラーム表示をＬＥＤアレイ光源が交換されるまで行う。
【００３９】
図７のように主走査方向Ａ４Ｒ幅の原稿で、異常ＬＥＤ２１０の位置は原稿幅の範囲外であって読み取り画像に影響がない場合は、図８（ａ）のように操作部上にアラーム表示を行うが、画像読み取り動作を中断することなく、通常と同様に画像読み取りを行う。図８（ａ）の操作部上のアラーム表示をＬＥＤアレイ光源が交換されるまで行う。
【００４０】
以下、図１１以下、図１１のフローチャートは、ＬＥＤ異常検出と読み取り動作の制御シーケンスを示したプログラムであって、図示しないメモリに格納されている。プログラムは、ＣＰＵ３０８において実行される。
【００４１】
ユーザによりスタートボタンが押下されると、予め基準白色板の下に位置するＣＩＳモジュールにおいて、ランプが消えた状態で黒サンプルが行われ、黒オフセット補正データの演算およびセットが行われる（Ｓ１１０１）。次に、基準白色板の下でランプを点灯させ（Ｓ１１０２）、基準白色板の画像をサンプリングする（Ｓ１１０３）。そして、基準白色板のサンプルデータからシェーディングデータをＣＰＵ３０８によって演算し、シェーディングメモリにセットする（Ｓ１１０４）。次に、セレクタ３１１を切り替えながら全ＬＥＤの電圧信号を検出する（Ｓ１１０５）。全てのＬＥＤについて電圧信号に異常がない場合（Ｎ）には、ＬＥＤの異常は無いと判断し（Ｓ１１０６）、Ｓ１１１２に移行して通常の画像読み取り動作を行って終了する。電圧信号に異常がある場合（Ｙ）には、ＬＥＤの異常と判断し（Ｓ１１０６）、異常ＬＥＤの位置を検出して記憶する（Ｓ１１０７）。次に、予め検知された原稿サイズ、または、予めユーザに指定された原稿サイズにおいて、異常ＬＥＤの位置が原稿の読取範囲内に含まれるか否かをＣＰＵ３０８において比較し（Ｓ１１０８）、異常ＬＥＤの位置が原稿の読取範囲外であれば（Ｎ）、異常ＬＥＤの影響無しと判断し（Ｓ１１０９）、操作部に図８（ａ）のように表示を行い（Ｓ１１１３）、Ｓ１１１２に移行して通常の原稿読み取り動作を行って終了する。異常ＬＥＤの位置が原稿の読取範囲内であれば（Ｙ）、異常ＬＥＤの影響有りと判断し（Ｓ１１０９）、図８（ｂ）のように表示部へアラーム表示を行う（Ｓ１１１０）。その後、ユーザによって原稿読み取りの継続または中止が選択されたかを検出し（Ｓ１１１１）、“はい”が押下され（Ｓ１１１４）、継続が選択された場合には（Ｙ）、原稿読み取り動作を行って（Ｓ１１１２）終了する。“いいえ”が押下され（Ｓ１１１４）、中止が選択された場合には（Ｎ）、原稿の読み取りを行わずに終了する。
【００４２】
以上の実施例１、実施例２から、画像読取装置において異常ＬＥＤの位置を検出し、読み取り原稿の幅と比較し、異常ＬＥＤの位置が読み取り原稿幅の範囲内にある場合は、ユーザに異常ＬＥＤの位置を知らせるアラーム表示を行い、さらに読み取り動作の開始か中止かを選択させ、異常ＬＥＤの位置が読み取り原稿幅の範囲外にあって出力画像に影響のない場合は、アラーム表示はするが、通常の読み取り動作を行うことによって、黒スジや白スジなどの不良画像の出力を極力防止し、読み取り範囲を効率的に活用し、装置のダウンタイムを軽減する効果がある。
【００４３】
尚、２つの実施例において、異常ＬＥＤの検知を画像読み取りのシーケンス毎に行う説明をしたが、電源ＯＮ時にのみ検知を行って異常を検出しても良いし、定期的に検知を行って異常を検出しても良い。
【００４４】
また、セレクタ３１１は、ＬＥＤアレイ光源２０２の中に構成される説明をしたが、ＣＰＵ３０８と同じように制御基板上に配置しても良い。
【００４５】
また、ＬＥＤの異常検知手段として、各ＬＥＤからの各電圧信号をセレクタによって選択してＣＰＵがＬＥＤの異常を判断する説明をしたが、各々のＬＥＤに流れる電流値を検出する電流検出手段を持ち、それらの検出結果によってＬＥＤの異常を判断しても良い。
【００４６】
また、異常ＬＥＤが検出された結果、異常ＬＥＤの個数によって読み取り画像に影響を及ぼす程度であるか否かを判断し、異常ＬＥＤの数が所定数以上であれば、警告表示をするとともにイメージセンサの読み取り動作を停止させるようにしても良い。
【００４７】
【発明の効果】
以上説明したように、本発明によれば、複数の発光素子を配列したアレイ型光源を原稿照明用の光源として用いた画像読取装置において、黒スジや白スジなどの不良画像を防止し、原稿読み取り範囲を効率的に活用し、装置のダウンタイムを軽減する効果がある。
【図面の簡単な説明】
【図１】本発明の実施の形態に係る画像形成装置の断面図である。
【図２】本発明の実施の形態および従来のＣＩＳの構造を示す展開図である。
【図３】本発明の第１の実施の形態に係る画像信号処理部のブロック図である。
【図４】本発明の第１の実施の形態に係る制御フローチャートである。
【図５】本発明の第１の実施の形態に係るＬＥＤ光源の配列と、白色板の画像レベルを示す図である。
【図６】本発明の第１、および、第２の実施の形態に係るＬＥＤ光源の配列と、原稿の位置を説明する図である。
【図７】本発明の第１、および、第２の実施の形態に係るＬＥＤ光源の配列と、原稿の位置を説明する図である。
【図８】本発明の第１、および、第２の実施の形態に係る操作部表示を示す図である。
【図９】本発明の第２の実施の形態に係る画像信号処理部のブロック図である。
【図１０】本発明の第２の実施の形態に係るＬＥＤ光源の構成を説明する図である。
【図１１】本発明の第２の実施の形態に係る制御フローチャートである。
【図１２】従来のＬＥＤ光源の構成図である。
【図１３】従来のＬＥＤ光源の構成図である。
【符号の説明】
１０１　イメージスキャナ
１０２　ＣＩＳモジュール
１０３　自動原稿送り装置（ＡＤＦ）
２０１　カバーガラス
２０２　ＬＥＤ光源
２０３　等倍結像レンズ
２０４　ラインセンサ
２０５　基板
２０６　モールド
３０６　シェーディング回路
３０８　ＣＰＵ
３１０　操作部
３１１　セレクタ
【図１】
2004064406.tif 000003
【図２】
2004064406.tif 000004
【図３】
2004064406.tif 000005
【図４】
2004064406.tif 000006
【図５】
2004064406.tif 000007
【図６】
2004064406.tif 000008
【図７】
2004064406.tif 000009
【図８】
2004064406.tif 000010
【図９】
2004064406.tif 000011
【図１０】
2004064406.tif 000012
【図１１】
2004064406.tif 000013
【図１２】
2004064406.tif 000014
【図１３】
2004064406.tif 000015